(57)【要約】      （修正有）【課題】自転車の所有者自身が持参して、簡単かつ迅速に設置して、自転車を適宜場所に確実に保持し、駐車させることができる自転車の駐車装置を提供する。【解決手段】円管状部２１の両端に平坦状部２２，２２を形成した保持部材２と、両端の平坦状部２２，２２を連結し、締結する締結部材３と、保持部材２に接続し、前方に向かって拡開状に延出した両側の平板状部４１，４２から成る挟持部材４と、から自転車の駐車装置１を構成する。挟持部材４の平板状部４１、４２の平面は、保持部材２の円管状部２１の軸心と直交する線に対して、所定角度だけ傾斜させたものとしてもよい。保持部材２及び挟持部材４は、ステンレス鋼板を成形したものであることが好ましい。【選択図】図１
0003208673.tif 000002
【実用新案登録請求の範囲】
【請求項１】
円管状部の両端に平坦状部を形成した保持部材と、前記両端の平坦状部を連結し、締結する締結部材と、前記保持部材に接続し、前方に向かって拡開状に延出した両側の平板状部から成る挟持部材と、から構成したことを特徴とする自転車の駐車装置。
【請求項２】
前記挟持部材の平板状部の平面は、前記保持部材の円管状部の軸心と直交する線に対して、所定角度だけ傾斜させたものであることを特徴とする請求項１に記載の自転車の駐車装置。
【請求項３】
前記保持部材及び挟持部材は、ステンレス鋼板を成形したものであることを特徴とする請求項１又は２に記載の自転車の駐車装置。
【請求項４】
前記保持部材及び挟持部材は、合成樹脂材料を用いて一体成形したものであることを特徴とする請求項１又は２に記載の自転車の駐車装置。
【考案の詳細な説明】
【技術分野】
【０００１】
本考案は、自転車を駐車する団地、公園、店舗等の敷地に設置して使用するのに好適な自転車の駐車装置に関する。
【背景技術】
【０００２】
団地、公園、店舗等の敷地に自転車を駐車する際、自転車のスタンドを起立させ、前輪と敷地に設置された適宜部材とにキーチェーンを掛け渡し、自転車が盗難され難いように保持している。
しかし、スタンドを起立させて駐車しておいただけでは、歩行者の身体が接触したり、強風が吹き付けた場合には、自転車が容易に横転し、自転車が損傷するだけでなく、歩行者に危害を及ぼす恐れもある。
【０００３】
そこで、簡易な構成ながら、自転車を確実に保持して、横転することなく、整然と駐車させておく装置が種々提案されている（特許文献１及び２を参照）。
【０００４】
特許文献１に記載された駐車装置は、自転車の前輪の前部及び下部を枠体によって保持するものである。又、特許文献２に記載された駐車装置は、自転車の前輪の下部を柵体によって挟持して保持するものである。
【先行技術文献】
【特許文献】
【０００５】
【特許文献１】特開平１１−２０７５８号公報
【特許文献２】実開平１−１２３９８３号公報
【考案の概要】
【考案が解決しようとする課題】
【０００６】
上記駐車装置は何れも、比較的に簡易な構成ではあるが、団地、公園、店舗等の敷地の適宜場所に予め設置しておかなければならず、一時的に設置するものではない。
又、自転車の所有者自身が適宜持参して、簡単かつ迅速に、敷地内に設置した適宜部材に一時的に設置して、駐車装置として利用できるものでもない。
【０００７】
本考案は、このような問題点を解決するために為されたものであって、その目的とするところは、団地、公園、店舗等の敷地内に予め設置しておく必要はなく、自転車の所有者自身が持参して、簡単かつ迅速に設置して、自転車を適宜場所に確実に保持し、駐車させることができる自転車の駐車装置を提供することにある。
【課題を解決するための手段】
【０００８】
上記目的を達成するために、本考案の自転車の駐車装置は、円管状部の両端に平坦状部を形成した保持部材と、前記両端の平坦状部を連結し、締結する締結部材と、前記保持部材に接続し、前方に向かって拡開状に延出した両側の平板状部から成る挟持部材と、から構成したことを特徴とする。
【０００９】
駐車時に両側の自転車のハンドルが邪魔することのないよう、前記挟持部材の平板状部の平面は、前記保持部材の円管状部の軸心と直交する線に対して、所定角度だけ傾斜させたものとしてもよい。
【００１０】
前記保持部材及び挟持部材は、錆等の発生を防止するため、ステンレス鋼板を成形したものであることが好ましい。
又、前記保持部材及び挟持部材は、駐車装置を軽量化し、携行するのに便利なものとするため、合成樹脂材料を用いて一体成形したものとしてもよい。
【考案の効果】
【００１１】
本考案の自転車の駐車装置は、極めて簡易な構成であって、自転車の所有者自身が持参して、簡単かつ迅速に、団地、公園、店舗等の敷地の適宜場所に一時的に設置し、自転車を確実に保持して、駐車装置として利用することができる。
【図面の簡単な説明】
【００１２】
【図１】本考案の自転車の駐車装置の一実施形態の（Ａ）は平面図、（Ｂ）は側面図である。
【図２】本考案の自転車の駐車装置の他実施形態の平面図である。
【図３】本考案の自転車の駐車装置を利用して、自転車を駐車した状態を示す側面図である。
【考案を実施するための形態】
【００１３】
以下、本考案の自転車の駐車装置の好適な実施形態について、図面を参照しつつ詳細に説明する。
【００１４】
本発明の自転車の駐車装置１は、図１に示すように、円管状部２１の両端に平坦状部２２，２２を形成した保持部材２と、前記両端の平坦状部２２，２２を連結し、締結する締結部材３と、前記保持部材２に接続し、前方に向かって拡開状に延出した両側の平板状部４１，４２から成る挟持部材４と、から構成してある。
【００１５】
保持部材２は、錆等の発生を防止するため、防錆性の高い材料、例えば、ステンレス鋼板を成形したものであることが好ましい。そして、平坦状部２２，２２の略中央部には、挿通孔２２ａ，２２ａを穿設してある。
【００１６】
締結部材３は、ボルト３１とナット３２とから成るものである。そして、ボルト３１を平坦状部２２，２２の挿通孔２２ａ，２２ａに挿通し、ボルト３１のネジ部３１ａにナット３２を螺合することによって、保持部材２を締め付けるようになっている。
【００１７】
挟持部材４も、錆等の発生を防止するため、防錆性の高い材料、例えば、ステンレス鋼板を成形したものであることが好ましい。そして、平板状部４１，４２の基端部を前記保持部材２の前側部の側面部に溶接等によって固着してある。
【００１８】
挟持部材４の平板状部４１，４２は、図１（Ａ）に示すように、前方に向かって拡開状としてある。よって、自転車の前輪を平板状部４１，４２の先端部から円滑に基端部へと進入させることができ、中間部から基端部によって前輪を挟持することができる。
ここで、平板状部４１，４２の間隔Ｗは、自転車の前輪の幅員より若干広く設定してあって、これによって、前輪を大きく左右に揺動させずに挟持することができる。
【００１９】
尚、前記保持部材２及び挟持部材４は、合成樹脂材料を用いて一体成形したものとしてもよい。合成樹脂材料による一体成形品とすれば、駐車装置１を大幅に軽量化することができ、携行するのに便利である。
【００２０】
本発明の自転車の駐車装置１１は、図２に示すように、挟持部材５の平板状部５１，５２の平面を、前記保持部材２の円管状部２１の軸心Ｏと直交する線Ｌに対して、所定角度θだけ傾斜させたものとしてもよい。
【００２１】
この傾斜角度θは、１５〜４５°であるのが好ましい。このようにすれば、棒状部材に駐車装置１１を複数設置しても、駐車時に両側の自転車のハンドルが邪魔することなく、整然と自転車を駐車させることができる。
【００２２】
本発明の自転車の駐車装置１は、図３に示すように、団地、公園、店舗等の敷地の適宜場所に設置してある棒状部材に固定して利用する。
【００２３】
図３は、団地、公園、店舗等の敷地の適宜場所に、単管バリケードと呼ばれる障害柵体６を設置した場合を示している。障害柵体６は、両側端部に配置した支持枠体６１，６１に、単管パイプ等の棒状部材６２，６２を掛け渡したものである。
【００２４】
自転車７の所有者であって、自転車７を駐車させようとする利用者は、先ず、障害柵体６の棒状部材６２に、駐車装置１の保持部材２の円管状部２１を被覆させ、ボルト３１を平坦状部２２，２２の挿通孔２２ａ，２２ａに挿通し、そのネジ部３１ａにナット３２を螺合させ、保持部材２を締め付ける。
これによって、図３に示すように、保持部材２を棒状部材６２に密着、設定することができ、駐車装置１を棒状部材６２に固定することができる。
【００２５】
次に、利用者は、図３に示すように、自転車７の前輪７１を障害柵体６の近傍へ移動させ、前輪７１を挟持部材４の平板状部４１，４２の先端部から導入させ、基端部へと進入させる。
ここで、挟持部材４の平板状部４１，４２は、前方に向かって拡開状としてあるから、自転車７の前輪７１を円滑に進入させることができ、次いで、挟持部材４の中間部から基端部によって前輪７１を挟持させて、自転車７を安定的に保持させることができる。
【００２６】
一方、駐車装置１を棒状部材６２から離反させるには、駐車装置１を棒状部材６２に固定したと逆の手順をとればよい。
【００２７】
又、駐車装置１１を棒状部材６２に固定し、離反する場合も、上記の如く、駐車装置１を固定し、離反する場合と同様の手順をとればよい。
【００２８】
以上説明したように、本考案の自転車の駐車装置によれば、自転車の所有者自身が持参して、簡単かつ迅速に、団地、公園、店舗等の敷地の適宜場所に一時的に設置することができ、自転車を確実に保持して、駐車することができる。
【００２９】
又、本考案の自転車の駐車装置は、小型、軽量のものであるから、巾着等の袋物に挿入して携帯することができ、極めて実用的で便利なものである。
【符号の説明】
【００３０】
１  駐車装置
２  保持部材
２１  円管状部
２２  平坦状部
３  締結部材
４  挟持部材
４１  平板状部
４２  平板状部
１１  駐車装置
５  挟持部材
５１  平板状部
５２  平板状部
７  自転車
７１  前輪
【図１】
0003208673.tif 000003
【図２】
0003208673.tif 000004
【図３】
0003208673.tif 000005
【手続補正書】
【提出日】平成28年12月6日(2016.12.6)
【手続補正１】
【補正対象書類名】図面
【補正対象項目名】全図
【補正方法】変更
【補正の内容】
【図１】
0003208673.tif 000006
【図２】
0003208673.tif 000007
【図３】
0003208673.tif 000008